(57)【要約】【課題】バイタルサインを速やかに把握させる生体情報モニタおよび生体情報測定システムを提供する。【解決手段】被験者の生体信号を基にしたバイタルサインＶと、被験者に送受信された超音波を基にした超音波画像Ｓとを取得する生体情報モニタ１であって、複数の表示部５および６に接続可能に構成され、少なくとも１つの表示部にバイタルサインＶを含む情報を表示するように複数の表示部５および６を制御する表示制御部１１を備える。【選択図】図２
2020116055.tif 000002
【特許請求の範囲】
【請求項１】
被験者の生体信号を基にしたバイタルサインと、前記被験者に送受信された超音波を基にした超音波画像とを取得する生体情報モニタであって、
複数の表示部に接続可能に構成され、少なくとも１つの表示部に前記バイタルサインを含む情報を表示するように前記複数の表示部を制御する表示制御部を備える生体情報モニタ。
【請求項２】
前記表示制御部は、前記バイタルサインを含む情報を表示させる表示部に対する他の表示部に前記超音波画像を含む情報を表示させる請求項１に記載の生体情報モニタ。
【請求項３】
前記表示制御部は、所定のイベントが生じた場合に、前記所定のイベントに対応した関心情報を前記複数の表示部のうち少なくとも１つの表示部に表示させる請求項１または２に記載の生体情報モニタ。
【請求項４】
前記表示制御部は、前記複数の表示部に表示された情報を所定のイベントに対応するように変更する請求項３に記載の生体情報モニタ。
【請求項５】
前記表示制御部は、前記所定のイベントに対応した関心情報を前記複数の表示部のうち少なくとも１つの表示部に強調して表示させる請求項３または４に記載の生体情報モニタ。
【請求項６】
前記所定のイベントは、前記バイタルサインの変化、前記超音波画像の部分的な変化、操作部の操作、超音波測定装置の挿抜、前記複数の表示部の挿抜、所定時間の経過および外部装置からのデータ受信のうち少なくとも１つを含む請求項３〜５のいずれか一項に記載の生体情報モニタ。
【請求項７】
前記複数の表示部のうち少なくとも１つの表示部を内蔵する請求項１〜６のいずれか一項に記載の生体情報モニタ。
【請求項８】
超音波画像の基となる超音波エコーの受信信号または超音波画像を取得する超音波測定装置と、
請求項１〜７のいずれか一項に記載の生体情報モニタと、
を備える生体情報測定システム。
【発明の詳細な説明】
【技術分野】
【０００１】
この発明は、バイタルサインと超音波画像を取得する生体情報モニタおよび生体情報測定システムに関する。
【背景技術】
【０００２】
被験者のバイタルサインを表示する生体情報モニタが、集中治療室（ＩＣＵ）、手術室（ＯＲ）および救急医療などの様々な医療現場で用いられている。近年では、被験者の超音波画像を取得する超音波測定装置を接続可能な生体情報モニタが提案されている。これにより、超音波測定装置で取得された超音波画像をバイタルサインと共に生体情報モニタに表示することができ、様々な生体情報を一度に把握することができる。
しかしながら、生体情報モニタに超音波測定装置を接続した場合に、バイタルサインと超音波画像に関する様々な情報が混在するため、所望の情報を適切に表示できないおそれがあった。
【０００３】
そこで、所望の情報を適切に表示する技術として、例えば、特許文献１には、ユーザにとって適切な画面を提供することが可能な生体情報モニタが提案されている。この生体情報モニタは、バイタルサインと超音波画像を表示する複数のモードが設定されているため、設定されたモードに従って所望の情報を適切に表示させることができる。
【先行技術文献】
【特許文献】
【０００４】
【特許文献１】特開２０１７−８６６６４号公報
【発明の概要】
【発明が解決しようとする課題】
【０００５】
ところで、生体情報モニタに表示される情報が増加しているため、生体情報モニタに複数の表示部を設ける形態がオペ室等で求められている。超音波画像を表示する生体情報モニタを当該構成（複数の表示部を設ける形態）で使用する場合、複数の表示部に表示された情報からバイタルサインを速やかに把握するための構成について改良の余地が残されていた。
【０００６】
この発明は、このような従来の問題点を解消するためになされたもので、バイタルサインを速やかに把握させる生体情報モニタおよび生体情報測定システムを提供することを目的とする。
【課題を解決するための手段】
【０００７】
この発明に係る生体情報モニタは、被験者の生体信号を基にしたバイタルサインと、被験者に送受信された超音波を基にした超音波画像とを取得する生体情報モニタであって、複数の表示部に接続可能に構成され、少なくとも１つの表示部にバイタルサインを含む情報を表示するように複数の表示部を制御する表示制御部を備えるものである。
【０００８】
この発明に係る生体情報測定システムは、超音波画像の基となる超音波エコーの受信信号または超音波画像を取得する超音波測定装置と、上記の生体情報モニタと、を備えるものである。
【発明の効果】
【０００９】
この発明によれば、表示制御部が、複数の表示部に接続可能に構成され、少なくとも１つの表示部にバイタルサインを含む情報を表示するように複数の表示部を制御するので、バイタルサインを速やかに把握させる生体情報モニタおよび生体情報測定システムを提供することが可能となる。
【図面の簡単な説明】
【００１０】
【図１】この発明の実施の形態１に係る生体情報モニタを備える生体情報測定システムの構成を示す図である。
【図２】生体情報測定システムの構成を示すブロック図である。
【図３】一方の表示部に超音波画像を表示すると共に他方の表示部にバイタルサインを表示した様子を示す図である。
【図４】一方の表示部にバイタルサインを表示すると共に他方の表示部にバイタルサインと超音波画像を表示した様子を示す図である。
【図５】一方の表示部にバイタルサインと超音波画像を表示すると共に他方の表示部にバイタルサインを表示した様子を示す図である。
【図６】一方の表示部に超音波画像を表示すると共に他方の表示部にバイタルサインと超音波画像を表示した様子を示す図である。
【図７】一方の表示部にバイタルサインと超音波画像を表示すると共に他方の表示部に超音波画像を表示した様子を示す図である。
【図８】一方の表示部と他方の表示部のそれぞれにバイタルサインと超音波画像を表示した様子を示す図である。
【図９】実施の形態２に係る生体情報測定システムの構成を示すブロック図である。
【図１０】実施の形態４において超音波画像の主要部分と補助部分を一方の表示部と他方の表示部にそれぞれ別けて表示した様子を示す図である。
【図１１】実施の形態１〜４の変形例に係る生体情報測定システムの構成を示すブロック図である。
【発明を実施するための形態】
【００１１】
以下、この発明の実施の形態を添付図面に基づいて説明する。
実施の形態１
図１に、この発明の実施の形態１に係る生体情報モニタを備えた生体情報測定システム３１の構成を示す。この生体情報測定システム３１は、生体情報モニタ１と、表示装置２と、センサ３と、超音波測定装置４とを有する。
【００１２】
生体情報モニタ１は、バイタルサインＶおよび超音波画像Ｓが表示される表示部５を有する。生体情報モニタ１には、図示しない接続口、例えばコネクタの差込口が設けられ、この接続口を介して表示装置２、センサ３および超音波測定装置４が接続されている。生体情報モニタ１は、被験者に接続されたセンサ３から取得した生体信号を基に、バイタルサインＶを測定する。また、生体情報モニタ１は、被験者に送受信された超音波を基にした超音波画像Ｓを超音波測定装置４から取得する。このようにして、取得されたバイタルサインＶおよび超音波画像Ｓが表示部５に表示される。
【００１３】
ここで、生体情報モニタ１は、バイタルサインＶを表示する種々の医療装置であり、例えば、ベッドサイドモニタ、携帯型の医用テレメータ、心電図などの測定機能付きの除細動器、脳波計、筋電計、呼吸器および麻酔器などが含まれる。また、バイタルサインＶとしては、例えば、血圧、体温、呼吸数、動脈血酸素飽和度、心電図および脈拍数などが挙げられる。また、超音波画像Ｓとしては、例えば、Ａモード画像、Ｂモード画像、Ｍモード画像およびＤモード画像などが挙げられる。
【００１４】
表示装置２は、ケーブル線を介して生体情報モニタ１に接続されており、生体情報モニタ１から入力されるバイタルサインＶおよび超音波画像Ｓを表示する表示部６を有する。
センサ３は、バイタルサインＶを生成するための生体信号を被験者から取得する各種のセンサであり、ケーブル線を介して生体情報モニタ１に接続されている。例えば、センサ３は、血圧測定に用いるカフ、心電図測定などに用いる電極（ディスポ電極、クリップ電極など）、ＳｐＯ２プローブおよび呼吸測定用のマスクなどを含む。また、センサ３は、侵襲的な手法で生体信号を取得するものであってもよい。
【００１５】
超音波測定装置４は、被験者に対して超音波を送受信することにより被験者の生体内部の超音波画像Ｓを取得するものであり、ケーブル線を介して生体情報モニタ１に接続されている。超音波測定装置４は、医師などのユーザが把持可能な重量及び大きさの装置であり、一般的な超音波診断装置のプローブヘッドのような形態を有する。
なお、生体情報モニタ１及び表示装置２の少なくとも一方は、例えば天井吊り下げ式の装置であっても良い。
【００１６】
次に、生体情報モニタ１、表示装置２および超音波測定装置４の構成について詳細に説明する。
図２に示すように、超音波測定装置４は、探触子７を有し、この探触子７に超音波画像生成部８が接続されている。そして、探触子７と超音波画像生成部８にそれぞれ超音波制御部９が接続されている。
【００１７】
探触子７は、被験者に対して超音波を送信すると共に被験者の体内で反射された超音波エコーを受信するものである。探触子７は、超音波エコーの受信信号を超音波画像生成部８に出力する。探触子７は、例えば、コンベックス型、セクタ型およびリニア型のものを用いることができる。
超音波画像生成部８は、探触子７から入力された超音波エコーの受信信号を整合加算して音線信号を形成し、この音線信号に基づいて超音波画像Ｓを生成する。
【００１８】
超音波制御部９は、図示しない操作部からユーザにより入力された指示に基づいて超音波測定装置４の各部の制御を行うものである。
なお、超音波画像生成部８および超音波制御部９は、ＣＰＵと、ＣＰＵに各種の動作を行わせる動作プログラムから構成されるが、それらをアナログ／デジタル回路で構成してもよい。
【００１９】
生体情報モニタ１は、入力インターフェイス１０を有し、この入力インターフェイス１０に表示制御部１１が直接接続されると共に、入力インターフェイス１０にバイタルサイン生成部１２を介して表示制御部１１が接続されている。また、表示制御部１１は、表示部５および出力インターフェイス１３にそれぞれ接続されている。さらに、バイタルサイン生成部１２および表示制御部１１に本体制御部１４が接続され、この本体制御部１４に操作部１５と格納部１６がそれぞれ接続されている。
【００２０】
入力インターフェイス１０は、センサ３および超音波測定装置４が接続される接続口およびその周辺回路から構成されている。入力インターフェイス１０は、センサ３で測定された生体信号を入力してバイタルサイン生成部１２に供給すると共に、超音波測定装置４の超音波画像生成部８で生成された超音波画像Ｓを入力して表示制御部１１に供給する。
バイタルサイン生成部１２は、入力インターフェイス１０から供給される生体信号に基づいてバイタルサインＶを生成する。バイタルサインＶは、例えば、波形および測定値の形式で生成することができる。
【００２１】
表示制御部１１は、表示部５に接続されると共に出力インターフェイス１３を介して表示装置２に接続されており、入力インターフェイス１０から供給される超音波画像Ｓとバイタルサイン生成部１２から供給されるバイタルサインＶを表示するように表示部５および６を制御する。ここで、表示制御部１１には、表示部５および６の表示内容および操作部１５の操作などに対応した複数の制御規則が予め設定されており、その制御規則に従って表示部５および６を制御する。具体的には、表示制御部１１は、表示部５および表示部６のうち少なくとも一方にバイタルサインＶを含む情報を表示させる制御規則を有する。表示制御部１１は、制御規則に応じた制御信号を生成して、その制御信号をバイタルサインＶおよび超音波画像Ｓと共に表示部５と出力インターフェイス１３にそれぞれ供給する。
【００２２】
表示部５は、ディスプレイ装置を含むものであり、表示制御部１１から供給される制御信号に従ってバイタルサインＶおよび超音波画像Ｓなどの情報を表示する。
なお、表示制御部１１および表示部５により表示装置１７が構成されている。
【００２３】
出力インターフェイス１３は、表示制御部１１から供給されるバイタルサインＶ、超音波画像Ｓおよび制御信号を表示装置２に出力する。
本体制御部１４は、ユーザにより操作部１５から入力される指示に基づいて生体情報モニタ１の各部の制御を行う。
【００２４】
操作部１５は、ユーザが入力操作を行うためのもので、例えばボタン、つまみ、回転型セレクター、キーなどから構成することができる。また、操作部１５は、表示部５と一体とされた構成、例えばタッチパネルなどから構成することもできる。
格納部１６は、本体制御部１４が使用する各種のプログラム、例えばシステムソフトウェアおよびアプリケーションソフトウェアを格納する。また、格納部１６は、血圧およびＳｐＯ２などの測定値および設定値、並びに、超音波画像の履歴値および設定値などのデータを格納することもできる。格納部１６は、ハードディスク、ＵＳＢメモリ、フレキシブルディスク、ＭＯ、ＭＴ、ＲＡＭ、ＣＤ−ＲＯＭおよびＤＶＤ−ＲＯＭなどの記録媒体を用いることができる。
なお、バイタルサイン生成部１２、表示制御部１１および本体制御部１４は、ＣＰＵと、ＣＰＵに各種の動作を行わせる動作プログラムから構成されるが、それらをデジタル回路で構成してもよい。
【００２５】
表示装置２は、入力インターフェイス１８を有し、この入力インターフェイス１８に表示制御部１９を介して表示部６が接続されている。
入力インターフェイス１８は、生体情報モニタ１の出力インターフェイス１３からバイタルサインＶ、超音波画像Ｓおよび制御信号を入力して表示制御部１９に供給する。
【００２６】
表示制御部１９は、入力インターフェイス１８から供給される制御信号に従ってバイタルサインＶおよび超音波画像Ｓを表示するように表示部６を制御する。すなわち、表示制御部１１が、表示制御部１９を介して表示部６を制御することになる。
表示部６は、ディスプレイ装置を含むものであり、表示制御部１９から供給される制御信号に従ってバイタルサインＶおよび超音波画像Ｓなどの情報を表示する。
【００２７】
次に、この実施の形態の動作について説明する。
まず、図２に示すように、超音波測定装置４の探触子７から被験者に対して超音波が送受信され、探触子７で受信された超音波エコーの受信信号が探触子７から超音波画像生成部８に出力される。超音波画像生成部８は、探触子７から受信信号を入力すると、その受信信号に基づいて超音波画像Ｓを生成する。生成された超音波画像Ｓは、超音波画像生成部８から生体情報モニタ１の入力インターフェイス１０を介して表示制御部１１に入力される。
一方、センサ３からは被験者の生体信号が入力され、その生体信号がセンサ３から生体情報モニタ１の入力インターフェイス１０を介してバイタルサイン生成部１２に出力される。
【００２８】
被験者の生体信号がバイタルサイン生成部１２に入力されると、バイタルサイン生成部１２は、生体信号に基づいてバイタルサインＶの数値および波形を順次生成する。そして、バイタルサイン生成部１２は、生成されたバイタルサインＶの数値および波形を表示制御部１１に出力する。
【００２９】
このようにして、表示制御部１１には、超音波画像生成部８で生成された超音波画像Ｓが入力インターフェイス１０を介して入力されると共に、バイタルサイン生成部１２で生成されたバイタルサインＶが入力される。
続いて、表示制御部１１は、操作部１５からの操作信号および予め定められた制御規則に従って、表示部５および表示装置２の表示部６を制御する。ここで、表示制御部１１には、表示部５および表示部６のうち少なくとも一方にバイタルサインＶを含む情報を表示させる第１の制御規則が予め設定されている。
【００３０】
さらに、表示制御部１１には、バイタルサインＶを含む情報を表示させる一方の表示部に対して他の表示部に超音波画像Ｓを含む情報を表示させる第２の制御規則を予め設定することができる。この第１の制御規則と第２の制御規則に従って、表示制御部１１は、例えば、バイタルサインＶを表示部５に表示する内部用制御信号と、超音波画像Ｓを表示部６に表示する外部用制御信号とを生成する。生成された内部用制御信号とバイタルサインＶが表示制御部１１から表示部５に出力され、外部用制御信号と超音波画像Ｓが表示制御部１１から出力インターフェイス１３、入力インターフェイス１８および表示制御部１９を介して表示部６に出力される。
このようにして、内部用制御信号とバイタルサインＶが表示部５に入力されると共に外部用制御信号と超音波画像Ｓが表示部６に入力されることにより、図１に示すように、表示部５の全体にバイタルサインＶが表示され、表示部６の全体に超音波画像Ｓが表示されることになる。
【００３１】
このように、バイタルサインＶと超音波画像Ｓを別の表示部５と表示部６に表示することにより、バイタルサインＶと超音波画像Ｓを共に大きく表示することができ、例えば超音波画像Ｓをユーザが詳細に検討することができる。
【００３２】
続いて、ユーザが、表示部５に超音波画像Ｓを含む情報を表示するように操作部１５を操作した場合には、表示制御部１１は、第１の制御規則および第２の制御規則に従って、例えば表示部５と表示部６に表示される情報を入れ換えるように制御することができる。具体的には、表示制御部１１は、表示部５に超音波画像Ｓを表示する内部用制御信号と、表示部６にバイタルサインＶを表示する外部用制御信号とを生成する。続いて、表示制御部１１は、内部用制御信号と超音波画像Ｓを表示部５に出力すると共に、外部用制御信号とバイタルサインＶを出力インターフェイス１３、入力インターフェイス１８および表示制御部１９を介して表示部６に出力する。これにより、図３に示すように、表示部５の全体に超音波画像Ｓが表示され、表示部６の全体にバイタルサインＶが表示されることになる。
【００３３】
このように、表示制御部１１が、表示部５および表示部６のうち少なくとも一方にバイタルサインＶを含む情報を表示させることにより、例えばユーザが緊急にバイタルサインＶを把握したい場合に、操作部１５を操作することなく、視線を表示部５から表示部６に移すだけで速やかにバイタルサインＶを把握することができる。
また、バイタルサインＶと超音波画像Ｓが別の表示部５と表示部６にそれぞれ大きく表示されるため、バイタルサインＶと超音波画像Ｓを詳細に検討することができる。
【００３４】
また、表示制御部１１には、バイタルサインＶを含む情報を全ての表示部５および６に表示させる第３の制御規則を第１の制御規則に換えて予め設定することもできる。例えば、表示制御部１１は、第３の制御規則に従って、バイタルサインＶを表示部５に表示する内部用制御信号と、バイタルサインＶと超音波画像Ｓを共に表示部６に表示する外部用制御信号とを生成することができる。これにより、図４に示すように、表示部５の全体にバイタルサインＶが表示され、表示部６にバイタルサインＶと超音波画像Ｓが表示されることになる。
続いて、ユーザが、表示部５に超音波画像Ｓを表示するように操作部１５を操作した場合には、表示制御部１１は、第３の制御規則に従って、例えば図５に示すように、表示部５にバイタルサインＶと超音波画像Ｓを表示させると共に、表示部６の全体にバイタルサインＶを表示させることができる。
【００３５】
このように、表示制御部１１が、全ての表示部５および６にバイタルサインＶを表示させるため、ユーザはバイタルサインＶが表示された表示部５および６を探すことなく、いずれかの表示部５および６を見るだけでバイタルサインＶを速やかに把握することができる。
【００３６】
また、表示制御部１１には、超音波画像Ｓを含む情報を全ての表示部５および６に表示させる第４の制御規則を予め設定することもできる。例えば、表示制御部１１は、第１の制御規則と第４の制御規則に従って、超音波画像Ｓを表示部５に表示する内部用制御信号と、バイタルサインＶと超音波画像Ｓを共に表示部６に表示する外部用制御信号とを生成することができる。これにより、図６に示すように、表示部５の全体に超音波画像Ｓが表示され、表示部６にバイタルサインＶと超音波画像Ｓが表示されることになる。
続いて、ユーザが、表示部６の全体に超音波画像Ｓを表示するように操作部１５を操作した場合には、表示制御部１１は、第１の制御規則と第４の制御規則に従って、例えば図７に示すように、表示部５にバイタルサインＶと超音波画像Ｓを表示させると共に、表示部６の全体に超音波画像Ｓを表示させることができる。
【００３７】
このように、表示制御部１１が、全ての表示部５および６に超音波画像Ｓを表示させるため、ユーザはいずれかの表示部５および６を見るだけで超音波画像Ｓを速やかに把握することができる。
【００３８】
また、表示制御部１１には、バイタルサインＶを全ての表示部５および６に表示させると共に超音波画像Ｓを全ての表示部５および６に表示させる第５の制御規則を第１の制御規則に換えて予め設定することもできる。例えば、表示制御部１１は、第５の制御規則に従って、バイタルサインＶと超音波画像Ｓを共に表示部５に表示する内部用制御信号と、バイタルサインＶと超音波画像Ｓを共に表示部６に表示する外部用制御信号とを生成することができる。これにより、図８に示すように、表示部５および表示部６のそれぞれにバイタルサインＶと超音波画像Ｓが表示されることになる。
このように、表示制御部１１が、バイタルサインＶを全ての表示部５および６に表示させると共に超音波画像Ｓを全ての表示部５および６に表示させるため、ユーザはどの表示部５および６を見てもバイタルサインＳと超音波画像Ｓを同時に把握することができる。
【００３９】
本実施の形態によれば、表示制御部１１が、表示部５および表示部６のうち少なくとも一方にバイタルサインＶを含む情報を表示させるように表示部５および表示部６を制御するため、操作部１５を操作することなく、表示部５および６を確認するだけでバイタルサインＶを速やかに把握することができる。
なお、図３〜図８に示した各表示形態において、バイタルサインＶや超音波画像Ｓ以外の各種情報（例えば日時、患者名、設定メニュー等）を適宜表示しても良いことは勿論である。
また、図３〜図８の構成のように一方の表示部に超音波画像Ｓを表示する構成により、バイタルサインＶの状態だけではなく、腹部出血等の状態を反映した超音波画像Ｓを把握することができる。これにより、患者の状態をより正確に把握することができる。
【００４０】
実施の形態２
上記の実施の形態１において、表示制御部１１は、所定のイベントが生じた場合に、所定のイベントに対応した関心情報を表示部５および表示部６のうち少なくとも一方に表示させることが好ましい。
例えば、図９に示すように、実施の形態１において挿抜判定部２１、イベント判定部２２および報知部２３を新たに配置することができる。
【００４１】
挿抜判定部２１は、入力インターフェイス１０とイベント判定部２２の間に接続され、入力インターフェイス１０への電気信号の入出力に基づいて入力インターフェイス１０に対する超音波測定装置４およびセンサ３のコネクタの差し込みおよび引き抜きを判定する。
【００４２】
イベント判定部２２は、入力インターフェイス１０と表示制御部１１の間に接続されると共に、バイタルサイン生成部１２と表示制御部１１の間に接続されている。また、イベント判定部２２は、本体制御部１４に接続されている。イベント判定部２２は、超音波測定装置４で生成された超音波画像Ｓ、バイタルサイン生成部１２で生成されたバイタルサインＶ、挿抜判定部２１の判定結果および操作部１５の操作信号に基づいて、所定のイベントが発生したか否かを判定する。
報知部２３は、イベント判定部２２の判定結果に基づいてユーザにイベントの発生を報知するものである。
【００４３】
このような構成により、超音波測定装置４で生成された超音波画像Ｓが入力インターフェイス１０を介してイベント判定部２２に入力されると共に、バイタルサイン生成部１２で生成されたバイタルサインＶがイベント判定部２２に入力される。また、入力インターフェイス１０に入出力される電気信号に基づいて挿抜判定部２１が超音波測定装置４およびセンサ３のコネクタの差し込みおよび引き抜きを判定し、その判定結果が挿抜判定部２１から出力されてイベント判定部２２に入力される。さらに、操作部１５の操作信号が本体制御部１４を介してイベント判定部２２に入力される。
【００４４】
イベント判定部２２は、バイタルサインＶが入力されると、バイタルサインＶの値が悪化したか否か、すなわちバイタルサインＶの値が基準値に対して所定値以上の増減を示したか否かを判定する。また、イベント判定部２２は、バイタルサインＶの値が急激に変化したか否かについても判定する。また、イベント判定部２２は、超音波画像Ｓが入力されると、超音波画像Ｓの部分的な変化、例えば超音波画像Ｓにおいて出血などにより部分的な変化が生じたか否かを判定する。また、イベント判定部２２は、挿抜判定部２１の判定結果が入力されると、超音波測定装置４のコネクタが入力インターフェイス１０に差し込まれたか否かを判定する。さらに、イベント判定部２２は、操作部１５の操作信号が入力されると、操作部１５が操作されたか否かを判定する。
このようにして、イベント判定部２２は、バイタルサインＶの変化、超音波画像Ｓの部分的な変化、超音波測定装置４の差し込みおよびユーザによる操作部１５の操作などの所定のイベントが生じたか否かを判定し、その判定結果を表示制御部１１および報知部２３にそれぞれ出力する。なお、所定のイベントは、これに限られるものではなく、例えば、出力インターフェイス１３に対する表示装置２のコネクタの挿抜、所定時間の経過（例えば超音波測定装置４からの信号が受信されない状態で経過した時間）および外部装置からのデータ受信（例えば投薬管理システム等の他の患者監視システムからのデータ受信）などが挙げられる。
【００４５】
イベント判定部２２の判定結果が表示制御部１１に入力されると、表示制御部１１は、判定結果に基づいて表示部５および表示装置２の表示部６を制御する。ここで、表示制御部１１には、イベント判定部２２において所定のイベントが生じたと判定された場合に、そのイベントに対応した関心情報が表示部５および表示部６のうち少なくとも一方に表示されるように制御する制御規則が予め設定されている。なお、関心情報は、ユーザがイベントに対応するために関心を示す情報であり、例えば、バイタルサインＶ、超音波画像Ｓおよび操作画面などが挙げられる。
【００４６】
このとき、表示制御部１１は、表示部５および６に表示された情報をイベントに対応してユーザが所望する内容に変更することが好ましい。
例えば、表示制御部１１は、バイタルサインＶが急激に悪化するイベントが生じた場合には、イベントに対応する血圧測定値が全ての表示部５および６に表示されるように表示内容を変更する第６の制御規則を予め設定することができる。
これにより、ユーザは、いずれかの表示部５および６を見るだけで血圧測定値を速やかに把握することができ、バイタルサインＶの急激な悪化に適切に対応することができる。なお、このような表示内容の変更は、バイタルサインＶの悪化に限られず、例えばバイタルサインＶが異常値から正常値に変化した場合であっても同様の表示内容の変更を行っても良い。これにより、ユーザは、何らかの要因（例えば処置）によりバイタルサインＶが良化の方向に向かっていることを認識することができる。
【００４７】
また、表示制御部１１は、バイタルサインＶが急激に悪化するイベントが生じたときに、さらにユーザによる操作部１５の操作、例えば操作部１５のボタンが押下されるイベントが生じた場合には、例えば図４に示すように、バイタルサインＶを含む情報を全ての表示部５および６に表示させるように表示内容を変更する第７の制御規則を予め設定することもできる。
これにより、ユーザは、バイタルサインＶが急激に悪化した場合に、バイタルサインＶの表示操作を通常通りに行う必要がなく、操作部１５のいずれかのボタンを押下するだけでバイタルサインＶが表示されるため、バイタルサインＶを速やかに把握することができる。
【００４８】
また、表示制御部１１は、超音波測定装置４が入力インターフェイス１０に差し込まれるイベントが生じた場合には、図３〜図８に示すように超音波画像Ｓを表示部５および６の少なくとも一方に表示させ、超音波測定装置４が入力インターフェイス１０に差し込まれる前および超音波測定装置４が入力インターフェイス１０から引き抜かれた後は、全ての表示部５および６にバイタルサインＶを含む情報が表示されるように表示内容を変更することができる。
このように、ユーザの行動に対応して表示部５および６の表示内容が変更されるため、ユーザの所望の情報をより的確に表示部５および６に表示することができる。
【００４９】
また、表示制御部１１は、超音波測定装置４が入力インターフェイス１０に差し込まれるイベントが生じた場合には、超音波画像Ｓの表示を操作する操作画面が表示部５および６のうち少なくとも一方に表示されるように表示内容を変更する第８の制御規則を予め設定することができる。
このように、超音波測定装置４を入力インターフェイス１０に差し込むだけで超音波画像Ｓの表示を操作する操作画面が表示されるため、ユーザは超音波画像Ｓの表示操作を速やかに開始することができる。
【００５０】
ここで、表示制御部１１は、イベント判定部２２で判定された所定のイベントに対応するように表示部５と表示部６に表示される情報を入れ換える第９の制御規則を予め設定することができる。
例えば、表示制御部１１は、表示部５と表示部６の画面の大きさ、設置位置および使用用途などの特徴情報を予め保存することができる。表示制御部１１は、画面が大きい表示部５にバイタルサインＶが表示されると共に画面が小さい表示部６に超音波画像Ｓが表示されていた場合に、超音波画像Ｓが部分的に変化するイベントが生じると、第９の制御規則に従って、イベントに対応する超音波画像Ｓが大きい画面に表示されるように表示部５と表示部６に表示された情報を入れ換える。
これにより、画面が大きい表示部５に超音波画像Ｓが表示されるため、ユーザは超音波画像Ｓの変化した部分を詳細に確認することができる。
【００５１】
また、表示制御部１１は、イベント判定部２２で判定された所定のイベントに対応した関心情報を表示部５および表示部６のうち少なくとも一方に強調して表示させる第１０の制御規則を予め設定することができる。
例えば、イベント判定部２２は、バイタルサインＶの悪化および急変などの被験者の異常を示すイベントが生じた場合には、報知部２３にも判定結果を出力し、報知部２３が判定結果に基づいて被験者に異常が生じたことをユーザに報知する。そこで、表示制御部１１は、バイタルサインＶの悪化および急変などの被験者の異常を示すイベント、例えば不整脈に関する異常を示すイベントが生じた場合には、第１０の制御規則に従って、不整脈に対応した関心情報を強調して（例えば点滅させる、色を変える、通常よりフォントを大きくする等して）表示部５および表示部６のうち少なくとも一方に表示させる。
このとき、表示制御部１１は、出血などにより超音波画像Ｓが部分的に変化するイベントが生じている場合には、第１０の制御規則に従って、その超音波画像Ｓから検出される出血の有無の関心情報を表示部５および表示部６のうち少なくとも一方に強調して表示させることもできる。
【００５２】
このように、表示制御部１１は、報知部２３で報知されるような被験者の異常を示すイベントが生じた場合に、そのイベントに対応した関心情報を強調して表示することにより、ユーザが報知の内容を速やかに把握することができ、異常なイベントに対して適切に対応することができる。なお、知らせるアラーム音の鳴動は、一般的な生体情報モニタと同様の方式で行えばよい。
【００５３】
本実施の形態によれば、表示制御部１１は、所定のイベントが生じた場合に、所定のイベントに対応した関心情報を表示部５および表示部６のうち少なくとも一方に表示させるため、ユーザが所定のイベントに対して速やかに対応することができる。
【００５４】
実施の形態３
上記の実施の形態１および２において、表示制御部１１は、表示部５および表示部６のうち予め設定された優先度の高い表示部５にバイタルサインＶを含む情報を表示させることが好ましい。
例えば、表示制御部１１は、表示部６に対して表示部５の優先度が高いことを予め設定することができる。この優先度は、例えば、画面の大きさ、設置位置および使用用途などの表示部５および６の特徴情報に基づいてまたはユーザが任意に設定することができる。
【００５５】
このように、優先度が高い表示部５にバイタルサインＶを含む情報が表示されるため、ユーザはバイタルサインＶを確認したい場合に、表示部５のみを確認すればよく、バイタルサインＶをより速やかに把握することができる。
本実施の形態によれば、表示制御部１１は、予め設定された優先度の高い表示部５にバイタルサインＶを含む情報を表示させるため、バイタルサインＶをより速やかに把握することができる。
【００５６】
実施の形態４
上記の実施の形態１〜３において、表示制御部１１は、バイタルサインＶおよび超音波画像Ｓのうち少なくとも一方の表示内容を表示部５と表示部６にそれぞれ別けて表示することができる。
例えば、図１０（ａ）に示すように、超音波画像Ｓの表示内容が画像自体からなる主要部分Ｓ１と、その画像部分の表示を操作するための補助部分Ｓ２とからなる場合に、補助部分Ｓ２が妨げとなって主要部分Ｓ１を表示部５の全体に大きく表示することが困難となる。
【００５７】
そこで、表示制御部１１は、例えば図１０（ｂ）に示すように、超音波画像Ｓの主要部分Ｓ１を表示部５に、補助部分Ｓ２を表示部６にそれぞれ別けて表示する第１１の制御規則を予め設定することが好ましい。これにより、ユーザは、表示部５の全体に主要部分Ｓ１を表示して超音波画像Ｓを詳細に検討することができる。また、主要部分Ｓ１の画像表示を操作する場合には、表示部６に表示された補助部分Ｓ２で操作することができる。このように、表示制御部１１は、超音波画像Ｓの表示内容を表示部５と表示部６にそれぞれ別けて表示することにより、超音波画像Ｓの画像自体をより大きく表示することができる。
なお、表示制御部１１は、表示部５および６の情報、例えば画面の大きさ、設置位置および使用用途などの表示部５および６の特徴情報に基づいて、主要部分Ｓ１と補助部分Ｓ２を表示させる表示部５および６を選択することができる。
【００５８】
本実施の形態によれば、表示制御部１１が、バイタルサインＶおよび超音波画像Ｓのうち少なくとも一方の表示内容を表示部５と表示部６にそれぞれ別けて表示させるため、所望の表示内容を大きく表示させることができる。
【００５９】
なお、上記の実施の形態１〜４では、表示制御部１１は、２つの表示部５および表示部６を制御するように接続されたが、複数の表示部を制御できればよく、２つに限られるものではない。
【００６０】
また、上記の実施の形態１〜４では、表示部５は、生体情報モニタ１に内蔵されたが、表示制御部１１に接続可能に構成されていればよく、これに限られるものではない。例えば、図１１に示すように、実施の形態１において表示部５を除くと共に表示装置５１を新たに配置することができる。この表示装置５１は、表示装置２と同様の構成を有し、生体情報モニタ１の出力インターフェイス１３に入力インターフェイス５２、表示制御部５３および表示部５４が順次接続されている。
このような構成により、表示制御部１１は、実施の形態１と同様に、表示部６と表示部５４に制御可能に接続され、表示部６および表示部５４のうち少なくとも一方にバイタルサインＶを含む情報を表示させるように表示部６および表示部５４を制御することができる。このように、表示部５４は、生体情報モニタ１と別体に配置することができる。
【００６１】
また、上記の実施の形態１〜４では、超音波画像生成部８は、超音波測定装置４に内蔵されたが、超音波画像Ｓを生成できればよく、これに限られるものではない。例えば、超音波画像生成部８は、生体情報モニタ１に内蔵されて、入力インターフェイス１０と表示制御部１１との間に接続することもできる。すなわち、超音波測定装置４は、超音波画像の基となる超音波エコーの受信信号を取得して生体情報モニタ１に出力し、生体情報モニタ１に内蔵された超音波画像生成部８で超音波画像が生成される。
また、上記の実施の形態１〜４では、バイタルサイン生成部１２は、生体情報モニタ１に内蔵されたが、バイタルサインＶを生成できればよく、これに限られるものではない。例えば、バイタルサイン生成部１２は、生体情報モニタ１とは別体に配置され、センサ３と入力インターフェイス１０との間に接続することもできる。
【００６２】
また、上記の実施の形態１〜４では、生体情報モニタ１、表示装置２、センサ３および超音波測定装置４は、ケーブル線を介して接続されたが、無線で接続することもできる。
また、上記の実施の形態１〜４において、生体情報モニタ１は、超音波測定装置４およびセンサ３を含む構成としてもよい。
さらに、上記の実施の形態１〜４において、生体情報モニタ１は、複数の表示装置を含む構成とすることもできる。
【符号の説明】
【００６３】
１  生体情報モニタ、２  表示装置、３  センサ、４  超音波測定装置、５，６，５４  表示部、７  探触子、８  超音波画像生成部、９  超音波制御部、１０，１８，５２  入力インターフェイス、１１，１９，５３  表示制御部、１２  バイタルサイン生成部、１３  出力インターフェイス、１４  本体制御部、１５  操作部、１６  格納部、１７，５１  表示装置、２１  挿抜判定部、２２  イベント判定部、２３  報知部、３１  生体情報測定システム、Ｖ  バイタルサイン、Ｓ  超音波画像、Ｓ１  主要部分、Ｓ２  補助部分。
【図１】
2020116055.tif 000003
【図２】
2020116055.tif 000004
【図３】
2020116055.tif 000005
【図４】
2020116055.tif 000006
【図５】
2020116055.tif 000007
【図６】
2020116055.tif 000008
【図７】
2020116055.tif 000009
【図８】
2020116055.tif 000010
【図９】
2020116055.tif 000011
【図１０】
2020116055.tif 000012
【図１１】
2020116055.tif 000013